(57)【要約】      （修正有）【課題】ヒンジが天板の上面から突き出ることがなく、天板と固定カウンターの間に隙間が生じず、天板が自重で落下して衝撃や騒音が発生しない跳ね上げ式天板のヒンジ構造を提供する。【解決手段】ヒンジ３０は一対のヒンジ板に設けられたアーム同士が枢着された枢着部が、一対のヒンジ板が折り畳める配置に設けられている。また天板１０と固定カウンターは、ヒンジ板を各々固定して天板１０が回動可能に連結される。枢着部は、折り畳まれた時にはヒンジの上方に位置し、且つ、天板の上面から突き出ない配置である。更に、天板の片辺からのびるスカート板が、枢着の軸を中心とした略円筒状に延長されている。このスカート板には、固定カウンター側のアームがスカート板に当たるその位置に、アームの進入用溝が切り込まれ、跳ね上げた際に固定カウンター側のアームが進入して溝底部に当接してストッパーとなっている。【選択図】 図４
2007315013.tif 000002
【特許請求の範囲】
【請求項１】
天板の片辺がヒンジを介して固定カウンターに連結された跳ね上げ式カウンターのヒンジ構造であって、
(Ａ)  前記ヒンジは、一対のヒンジ板に設けられたアーム同士が枢着された枢着部が、前記一対のヒンジ板が折り畳める配置に設けられ、
(Ｂ)  前記天板と前記固定カウンターは、これらの対向する面に前記ヒンジ板を各々固定して前記天板が回動可能に連結されると共に、
前記枢着部が、前記折り畳まれた時にはヒンジの上方に位置する姿勢で、且つ、前記天板の上面から突き出ないように配置され、
(Ｃ)  前記天板の前記片辺からは前記天板上面と略面一にのびるスカート板が、前記枢着の軸を中心とした略円筒状に延長させて設けられ、
更に前記スカート板には、前記天板を跳ね上げ方向に回動させる際に前記固定カウンター側の前記アームが前記スカート板に当たるその位置に、前記アームの進入用溝が切り込まれて形成されたこと、
を特徴とする跳ね上げ式カウンターのヒンジ構造。
【請求項２】
進入用溝は、跳ね上げた際に固定カウンター側のアームが進入して溝底部に当接することにより、天板が所定の角度位置で止まる溝深さに形成されていることを特徴とする請求項１記載の跳ね上げ式カウンターのヒンジ構造。
【請求項３】
ヒンジが、所定の回動抵抗を有するトルクヒンジであることを特徴とする請求項１又は２記載の跳ね上げ式カウンターのヒンジ構造。
【請求項４】
請求項１〜３のいずれか記載のヒンジ構造において、固定カウンターに代えて固定カウンター以外の固定可能な箇所に天板を連結させたことを特徴とする跳ね上げ式カウンターのヒンジ構造
【発明の詳細な説明】
【技術分野】
【０００１】
この出願は、コンビニエンス・ストアー（以下、コンビニ）などで用いられるレジカウンターなどの各種カウンターにおいて、これらカウンターの内外に人の出入りする通路となる様に、カウンターの天板を跳ね上げて出入り口にする跳ね上げ式カウンターのヒンジ構造に関する。
【背景技術】
【０００２】
コンビニでは、レジカウンターなど各種のカウンターが用いられている（特許文献１参照）。この様なカウンターは、カウンターの内外に人の出入りができるように跳ね上げ式カウンターの設けられているものがある。この跳ね上げ式カウンターは長手のカウンターの一部分として設けられており、カウンターの天板の片辺がヒンジを介して、隣接するカウンター（以下、固定カウンター）に回動可能に連結されており、この天板を跳ね上げて出入りができるようになっている。また天板の下方はスイング戸になっており、これらスイング戸と跳ね上げられる天板とで出入りができるようになっているのである。
【０００３】
この様な跳ね上げ式カウンターは、その天板のヒンジには、一般にピアノ蝶番と呼ばれるものが用いられている。ピアノ蝶番１００とは、図１９に示すような形状であり、ピアノの鍵盤の蓋の開閉部分に用いられるのが代表的な用いられ方である。そしてピアノの蓋に用いる場合には、蝶番は蓋の左右幅と同じ長さとなり、この様な長いところにピアノ蝶番の特徴がある。従来からの跳ね上げ式カウンターには、このピアノ蝶番に、天板１１０の前後幅に相当する長さのものを用いている。又この場合、天板は１８０°回転され、図２０に示すように、折り畳んだ様に跳ね上げることとなる。
【特許文献１】特開２００５−２１１１２５公報
【発明の開示】
【発明が解決しようとする課題】
【０００４】
ただピアノ蝶番１００を用いたカウンターは、天板１１０を閉じた通常の状態でも、ピアノ蝶番１００の軸部１０１が天板１１０上面から突き出た状態となっており、商品を天板１１０に載せた時には、引っかかりになるなどして不具合である。
【０００５】
またピアノ蝶番１００は天板１１０の前後幅と同じ長さの蝶番であるので、天板１１０と１２０固定カウンターの間の隙間が、このピアノ蝶番１００で塞がれた状態になっており、隙間から小物が落ちるような心配はない。しかしピアノ蝶番１００以外を用いて、天板１１０の前後幅方向の２〜３箇所に点在させて取り付けるような場合、蝶番と蝶番の間は、天板１１０と固定カウンター１２０との間に隙間ができてしまい、この隙間から小物が落ちるなどして不具合である。
【０００６】
又この様な跳ね上げ式カウンターは、跳ね上げて開閉させる時には、天板１１０を１８０°回動させるのであるが、この回動操作する天板１１０が自重で自由落下しようとするので、不注意に落下させて衝撃や騒音の出ることのない様に、開けた天板を手で注意して下ろしている。つまり開ける時には、１８０°回動させた天板を固定カウンターの上に置く様にして開け、締める時には、１８０°戻してこれも手で最後まで手で持って、落下させないようにして閉めている。
【０００７】
よって本願発明は、以上のような課題を解決するためになされたものであり、ヒンジが天板の上面から突き出ることがない、また天板と固定カウンターの間に隙間の生じない、また天板が自重で落下して衝撃や騒音の生ずるようなことない跳ね上げ式天板のヒンジ構造を提供することにある。
【課題を解決するための手段】
【０００８】
以上の課題を解決するため、請求項１記載の跳ね上げ式カウンターのヒンジ構造の発明は、天板の片辺がヒンジを介して固定カウンターに連結された跳ね上げ式カウンターのヒンジ構造であって、以下の特徴を有している。
(Ａ)  前記ヒンジは、一対のヒンジ板に設けられたアーム同士が枢着された枢着部が、前記一対のヒンジ板が折り畳める配置に設けられている。
(Ｂ)  前記天板と前記固定カウンターは、これらの対向する面に前記ヒンジ板を各々固定して前記天板が回動可能に連結されると共に、前記枢着部が、前記折り畳まれた時にはヒンジの上方に位置する姿勢で、且つ、前記天板の上面から突き出ないように配置されている。
(Ｃ)  前記天板の前記片辺からは前記天板上面と略面一にのびるスカート板が、前記枢着の軸を中心とした略円筒状に延長させて設けられ、更に前記スカート板には、前記天板を跳ね上げ方向に回動させる際に固定カウンター側のアームが前記スカート板に当たるその位置に、前記アームの進入用溝が切り込まれて形成されている。
【０００９】
請求項２記載の発明では、請求項１記載の発明において、進入用溝は、跳ね上げた際に固定カウンター側のアームが進入して溝底部に当接することにより、天板が所定の角度位置で止まる溝深さに形成されていることを特徴としている。
【００１０】
請求項３記載の発明では、ヒンジが、請求項１又は２記載の発明において、所定の回動抵抗を有するトルクヒンジであることを特徴としている。
【００１１】
請求項４記載の発明では、請求項１〜３のいずれか記載のヒンジ構造において、固定カウンターに代えて固定カウンター以外の固定可能な箇所に天板を連結させたことを特徴とする。「固定可能な箇所」とは、例えば壁であってもよく、家具、什器などであってもよい。例えば長手なカウンターの終端に壁や家具がある場合などで、これら壁や家具の側面などに跳ね上げ式の天板を取り付けるのである。
【発明の効果】
【００１２】
以上の本願発明によれば、請求項１においては、ヒンジが天板の上面から突き出ないので、天板上での商品などの扱い時にはヒンジが引っかかるなどの不具合が無い。
またピアノ蝶番は天板の片辺全長（つまり天板の前後幅）に亘って設けられるので、天板と固定カウンターの間の隙間が、このピアノ蝶番で塞がれた状態になっていた。この点、本願ではヒンジがピアノ蝶番のように長くなく、天板片辺に点在する様に設ける場合であっても、天板と固定カウンターとの間の隙間が、スカート板に覆われているので、小物が隙間から落ちるような不具合もない。
またこの様なスカート板が設けられていても、天板を回動する時にはこのスカート板が天板と共に一体となって円弧状に回動し、相手の固定カウンターにぶつかるなど支障がないようになっている。
【００１３】
請求項２においては、回動させた天板の回動範囲を限定することができ、例えば従来の様な１８０°ではなく、９５°〜１００°程度の角度で回動を止めることができる様に溝深さを形成させ、天板を立てた状態で止めるなどすることができる。
【００１４】
請求項３においては、ヒンジをトルクヒンジにしたので、天板が自重で自由落下することを規制できる。
【００１５】
請求項４においては、天板の取り付け箇所を固定カウンター以外にひろげることができる。
【発明を実施するための最良の形態】
【００１６】
次に、本願発明の跳ね上げ式カウンターのヒンジ構造につき、その実施例を図を用いて説明説明する。
【００１７】
図１〜３に示すのは、コンビニで用いられるカウンター１であり、跳ね上げる側の天板１０（以下、回動天板１０）が、固定カウンターとしてのコーナーカウンター２の天板２０（以下、固定天板２０）に、ヒンジ３０を介して連結された跳ね上げ式カウンター３が設けてある。回動天板１０に取り付けるヒンジ３０は、図４に示す様に、回動天板１０の基端面１１に固定されているヒンジ３０の取付台座４０を介して取り付けられている。また回動天板１０の先端側１２は、別に設置されたカウンターブロック４の側面に設けられた受け部５０に受けられた状態で、通常は固定天板２０と面一な状態となる。回動天板１０の下方には、スイングドア５が設けてあり、回動天板１０を跳ね上げて開けた時の出入りができる様になっている。
【００１８】
ヒンジ３０は、図５に示すように、一対のヒンジ板３１の片辺に設けられたアーム３２同士が枢着されて枢着部３３を成すと共に、図６に示す様に、前記一対のヒンジ板３１が折り畳める様に設けられている。
【００１９】
又このヒンジ３０には、回動抵抗のあるトルクヒンジが用いられている。つまり枢着部３３においては、枢着のために重合させてある一対のアーム３２と共にバネ状の座金（図示せず）も枢着してあり、この座金が重合させてある一対のアーム３２同士を押圧することにより、回動抵抗を有するのである。この実施例においては、回動天板１０を開閉途中の角度位置で手放してもその角度で止まり、回動天板１０の自重で降りてくることのないだけの回動抵抗を有するヒンジを用いている。
【００２０】
ヒンジ３０の取付台座４０は、図７〜９に示すような、回動天板１０の前後幅と同じ長さの細長い金属箱状を成すと共に下方が開口したスカート部４１と、このスカート部４１を回動天板１０に取り付けるためのＬ字板部４２とを有している。このＬ字板部４２は、スカート部４１の背面４３にＬ字の縦板部分４４を接合させ、Ｌ字のコーナー部分４５を、図１０に示すように回動天板１０の下角に宛って固定する様になっている。
【００２１】
ここでスカート部は、図１１に示す様に、その上方が、回動天板１０からこの天板上面と略面一にのびるスカート板４１ａを有し、このスカート板４１ａが、図１２に示す様にスカート部４１内に取り付けられるヒンジ３０の枢着の軸３４（枢着軸３４）を中心とした略円筒状となる様に延長形成されており（符号４１ａ’参照）、回動天板１０と固定天板２０との隔たりを覆うことのできる幅を有している。そしてヒンジ３０は、図１０、図１３に示す様に、このスカート部４１の下方開口４１ｂから差し入れた配置で、Ｌ字板部４２の縦板部分４４に片方のヒンジ板３１ａを固定させ、他方のヒンジ板３１ｂを固定天板２０に固定させてある。その結果、略円筒状のスカート板４１ａがこのヒンジ３０を覆う状態になっているのである。
【００２２】
又この様にして設けられたスカート部４１とそのスカート板４１ａは、回動天板１０を跳ね上げて回動させる時には、この回動天板１０の一体となって回動する。具体的にはヒンジ３０の枢着軸３４を中心とした回動をするのである。この様に回動すると、スカート板４１ａの延長部分４１ａ’は枢着軸３４を中心とした円筒状に形成されているので、近接する固定天板２０にぶつかることなく回動することができる。ただこの時、ヒンジ３０の取り付け箇所に該当するスカート板４１ａの下辺４６は、固定天板２０側のアーム３２ｂに当たる様になる。その為この当たる位置のスカート板４１ａには、アーム３２ｂの進入用溝４７が切り込んで形成させてあり、図１４に示す様に、アーム３２ｂをこの進入用溝４７に進入させながら回動できる様になっている。なお一対の進入用溝４７に挟まれたスカート板４１ａの部分４８が内方に屈曲させてあるが、これは跳ね上げた時にこの部分４８がヒンジ板に当たるので、これを避けるための逃げとして形成させたものである。
【００２３】
そしてこの進入用溝４７は、回動天板１０を跳ね上げて、閉じた位置から図１５に示すような９５°程度の回動をした角度位置にくると、固定天板２０側のアーム３２ｂが、図１６に示す様に、進入した進入用溝４７の溝底部４７ａに当接する様な溝深さに形成され、この溝底部４７ａがストッパーとなって回動天板１０の回動が止まる様になっている。
【００２４】
以上の構成による本実施例のヒンジ構造の使用方法は次のようになる。
【００２５】
回動天板１０は、通常は図１に示したように閉じた状態となっており、回動天板１０の先端１２は受け部５０の上面に設けられたクッション５１に載置された状態となっている。
【００２６】
この閉じた状態の回動天板１０を手で持ち上げると、図１５、図１７に示す様に、直角を少し超えた９５°程度まで開いて止まるようになっている。つまり、従来のような１８０°回動させる必要はなく、カウンター１を出入りするのに必要なだけの開き操作で済むのである。
【００２７】
またカウンター１への出入りを終えた後は、手で閉じるのであるが、この回動天板１０は図１８に示したような角度位置でも、手を離すとトルクヒンジの回動抵抗により止まることができるようになっていて、自由落下するようなことはない。よって、開いた状態の回動天板１０を手で下ろし、閉じ位置に近づいた位置で持ち替えて、押さえるように閉じるなどの操作ができる。
【００２８】
閉じて通常の使用状態となった回動天板１０は、固定天板２０と面一であるが、その境の隙間にはスカート部４１がその隙間を埋める様に設けられており、よって小物などが隙間から落ちる様なことはない。またこのスカート部４１は、その上面のスカート板４１ａが、回動天板１０と固定天板２０の双方と面一となっており、従来のピアノ蝶番を用いたカウンターのように、蝶番の一部が天板から突き出て、荷物が引っかかるなど不具合は生じない。
【００２９】
なお本願発明は以上の実施例に制限させるものではなく、発明の趣旨から逸脱しない範囲で、どの様に実施されてもよい。
【００３０】
天板（回動天板１０）の取り付け相手は固定カウンター（固定天板２０）に限らず、壁や家具、什器などであってもよい。長手に配置されたカウンターの終端がこれら室内の壁や、家具、什器に当接する様な配置の場合で、その終端部分のカウンターを跳ね上げ式カウンターにする場合には、ヒンジはカウンター側に設けてもよいが、壁や家具の側に設けてもよいのである。
【００３１】
またトルクヒンジの回動抵抗は、実施例の様に任意の跳ね上げ位置で手を離してもその位置で止まるのではなく、その位置からゆっくりと降りてくるいわゆるソフト開閉する様なトルクヒンジを用いてもよい。これにより、自重により、手放しても静かに閉じさせることができ、衝撃や騒音を抑えることができる。あるいは、開ける時は回動抵抗が無く、閉じる時だけに回動抵抗の生ずる様なトルクヒンジを用いてもよい。
【図面の簡単な説明】
【００３２】
【図１】この図は、実施例に示したカウンターの斜視図である。
【図２】この図は、図１のカウンターの平面図である。
【図３】この図は、図１のカウンターの正面図である。
【図４】この図は、回動天板とそのヒンジ部分の説明図である。
【図５】この図は、ヒンジの説明図である。
【図６】この図は、ヒンジの説明図である。
【図７】この図は、取付台座の斜視図である。
【図８】この図は、取付台座の斜視図である。
【図９】この図は、取付台座の図であり、(a)は正面図、(b)は平面図、(c) 左側面図はである。
【図１０】この図は、取付台座を回動天板の片辺に取り付けた様子の説明図であり、併せてヒンジの取り付け方を示している。
【図１１】この図は、取付台座を回動天板の片辺に取り付けた様子の説明図である。
【図１２】この図は、回動天板に取り付けた際のヒンジの説明図である。
【図１３】この図は、ヒンジの取付台座との関係を説明する図である。
【図１４】この図は、スカート板に形成された進入用溝と、ヒンジのアームとの関係を説明する図である。
【図１５】この図は、回動天板の開き切った状態を示す図である。
【図１６】この図は、回動天板を開き切ったときに、アームが進入用溝の溝底部に当接する様子の説明図である。
【図１７】この図は、回動天板を上げた時の回動天板とそのヒンジ部分の説明図である。
【図１８】この図は、回動天板が回動途中の角度でも止まることを説明する図である。
【図１９】この図は、ピアノ蝶番の説明図である。
【図２０】この図も、ピアノ蝶番の説明図である。
【符号の説明】
【００３３】
１  カウンター
２  コーナーカウンター
３  跳ね上げ式カウンター
４  カウンターブロック
５  スイング戸
１０  回動天板
１１  基端面
１２  回転天板の先端
２０  固定天板
３０  ヒンジ
３１  ヒンジ板
３２  アーム
３３  枢着部
３４  枢着軸
４０  取付台座
４１  スカート部
４１ａ    スカート板
４１ａ’  スカート板の延長部分
４２  Ｌ字板部
４３  スカート部の背面
４４  Ｌ字板部の縦板部分
４６  スカート板の下辺
４７  進入用溝
４７ａ  溝底部
５０  受け部
【図１】
2007315013.tif 000003
【図２】
2007315013.tif 000004
【図３】
2007315013.tif 000005
【図４】
2007315013.tif 000006
【図５】
2007315013.tif 000007
【図６】
2007315013.tif 000008
【図７】
2007315013.tif 000009
【図８】
2007315013.tif 000010
【図９】
2007315013.tif 000011
【図１０】
2007315013.tif 000012
【図１１】
2007315013.tif 000013
【図１２】
2007315013.tif 000014
【図１３】
2007315013.tif 000015
【図１４】
2007315013.tif 000016
【図１５】
2007315013.tif 000017
【図１６】
2007315013.tif 000018
【図１７】
2007315013.tif 000019
【図１８】
2007315013.tif 000020
【図１９】
2007315013.tif 000021
【図２０】
2007315013.tif 000022